(57)【要約】【課題】ＴＣＯ削減やキャッシュフロー改善に貢献できる機器管理システム、機器管理装置、プログラム及び機器再配置支援方法を提供する。【解決手段】ユーザが希望する機器性能を示す希望性能情報の入力を受け付ける受付部２５１と、複数の機器の機器性能を少なくとも示す管理情報を記憶する管理情報記憶部を検索して、複数の機器のうち希望性能情報が示す機器性能を満たす１以上の機器を特定する検索部２５３と、特定された１以上の機器それぞれから、当該機器の使用状況を少なくとも示す機器情報を取得する機器情報取得部２５５と、取得された１以上の機器情報を解析する解析部２５７と、解析結果に基づいて、１以上の機器の中からユーザが使用している機器の代替候補となる機器に関する情報を出力する出力部２５９と、を備える。【選択図】図３
2014174772.tif 000002
【特許請求の範囲】
【請求項１】
ユーザが希望する機器性能を示す希望性能情報の入力を受け付ける受付部と、
複数の機器の機器性能を少なくとも示す管理情報を記憶する管理情報記憶部と、
前記管理情報記憶部を検索して、前記複数の機器のうち前記希望性能情報が示す機器性能を満たす１以上の機器を特定する検索部と、
特定された前記１以上の機器それぞれから、当該機器の使用状況を少なくとも示す機器情報を取得する機器情報取得部と、
取得された前記１以上の機器情報を解析する解析部と、
解析結果に基づいて、前記１以上の機器の中から前記ユーザが使用している機器の代替候補となる機器に関する情報を出力する出力部と、
を備える機器管理システム。
【請求項２】
前記複数の機器は、貸与主体から借りている機器であり、
前記管理情報は、前記複数の機器の貸与完了日を更に示し、
前記検索部は、前記複数の機器のうち、前記希望性能情報が示す機器性能を満たし、かつ貸与完了日までに一定期間以上ある機器を、前記１以上の機器に特定する請求項１に記載の機器管理システム。
【請求項３】
前記解析部は、前記１以上の機器情報を解析し、前記１以上の機器の前記ユーザが使用している機器との代替性を順位付けする請求項１又は２に記載の機器管理システム。
【請求項４】
前記出力部は、前記代替候補となる機器に関する情報として、前記１以上の機器の中から前記解析部の順位付け結果が上位予め定められた順位の機器に関する情報を出力する請求項１〜３のいずれか１つに記載の機器管理システム。
【請求項５】
前記機器情報は、機器の識別子及び機器の利用者の少なくとも一方を更に示し、
前記出力部は、順位付け結果が上位予め定められた順位の機器に関する情報として、前記機器の識別子及び前記機器の利用者の少なくとも一方を示す情報を出力する請求項４に記載の機器管理システム。
【請求項６】
前記機器の使用状況は、機器の利用頻度、機器が有する処理装置の使用率の履歴、機器が有する記憶装置の記憶領域の使用量、及び前記機器の設置場所の少なくともいずれかである請求項１〜５のいずれか１つに記載の機器管理システム。
【請求項７】
ユーザが希望する機器性能を示す希望性能情報の入力を受け付ける受付部と、
複数の機器の機器性能を少なくとも示す管理情報を記憶する管理情報記憶部を検索して、前記複数の機器のうち前記希望性能情報が示す機器性能を満たす１以上の機器を特定する検索部と、
特定された前記１以上の機器それぞれから、当該機器の使用状況を少なくとも示す機器情報を取得する機器情報取得部と、
取得された前記１以上の機器情報を解析する解析部と、
解析結果に基づいて、前記１以上の機器の中から前記ユーザが使用している機器の代替候補となる機器に関する情報を出力する出力部と、
を備える機器管理装置。
【請求項８】
ユーザが希望する機器性能を示す希望性能情報の入力を受け付ける受付部と、
複数の機器の機器性能を少なくとも示す管理情報を記憶する管理情報記憶部を検索して、前記複数の機器のうち前記希望性能情報が示す機器性能を満たす１以上の機器を特定する検索部と、
特定された前記１以上の機器それぞれから、当該機器の使用状況を少なくとも示す機器情報を取得する機器情報取得部と、
取得された前記１以上の機器情報を解析する解析部と、
解析結果に基づいて、前記１以上の機器の中から前記ユーザが使用している機器の代替候補となる機器に関する情報を出力する出力部と、
してコンピュータを機能させるためのプログラム。
【請求項９】
ユーザが希望する機器性能を示す希望性能情報の入力を受け付ける受付ステップと、
複数の機器の機器性能を少なくとも示す管理情報を記憶する管理情報記憶部を検索して、前記複数の機器のうち前記希望性能情報が示す機器性能を満たす１以上の機器を特定する検索ステップと、
特定された前記１以上の機器それぞれから、当該機器の使用状況を少なくとも示す機器情報を取得する機器情報取得ステップと、
取得された前記１以上の機器情報を解析する解析ステップと、
解析結果に基づいて、前記１以上の機器の中から前記ユーザが使用している機器の代替候補となる機器に関する情報を出力する出力ステップと、
を含む機器再配置支援方法。
【発明の詳細な説明】
【技術分野】
【０００１】
本発明は、機器管理システム、機器管理装置、プログラム及び機器再配置支援方法に関する。
【背景技術】
【０００２】
近年、ＴＣＯ（Total  Cost  of  Ownership）削減やキャッシュフロー改善を目的に、企業内で使用している機器（レンタル会社やリース会社などの貸与主体から借りている機器も含む）を管理する仕組みの構築などが行われている。ここで、例えば特許文献１には、新規投資を抑えたレンタルサービスを提供することを目的で、特定の企業グループ等が保有する既存リソースをレンタル対象として提供する技術が開示されている。
【発明の概要】
【発明が解決しようとする課題】
【０００３】
ところで、ＴＣＯ削減やキャッシュフロー改善を実現するためには、一人一人のユーザに作業を行う上で最適な機器性能の機器が与えられる必要があるが、実際には、ユーザが作業を行う上で機器性能が不十分な機器が与えられる場合もあれば、ユーザが作業を行う上で機器性能が過剰な機器が与えられる場合もある。
【０００４】
このような場合、前者の機器と後者の機器とを交換できれば企業内での最適な機器配置を実現でき、ＴＣＯ削減やキャッシュフロー改善に貢献できるが、どのユーザの機器が、作業上、機器性能が不十分であるか、又は機器性能が過剰であるかなどを把握することは困難である。
【０００５】
本発明は、上記事情に鑑みてなされたものであり、ＴＣＯ削減やキャッシュフロー改善に貢献できる機器管理システム、機器管理装置、プログラム及び機器再配置支援方法を提供することを目的とする。
【課題を解決するための手段】
【０００６】
上述した課題を解決し、目的を達成するために、本発明の一態様にかかる機器管理システムは、ユーザが希望する機器性能を示す希望性能情報の入力を受け付ける受付部と、複数の機器の機器性能を少なくとも示す管理情報を記憶する管理情報記憶部と、前記管理情報記憶部を検索して、前記複数の機器のうち前記希望性能情報が示す機器性能を満たす１以上の機器を特定する検索部と、特定された前記１以上の機器それぞれから、当該機器の使用状況を少なくとも示す機器情報を取得する機器情報取得部と、取得された前記１以上の機器情報を解析する解析部と、解析結果に基づいて、前記１以上の機器の中から前記ユーザが使用している機器の代替候補となる機器に関する情報を出力する出力部と、を備える。
【発明の効果】
【０００７】
本発明によれば、ＴＣＯ削減やキャッシュフロー改善に貢献できるという効果を奏する。
【図面の簡単な説明】
【０００８】
【図１】図１は、本実施形態の機器管理システムの構成の一例を示すブロック図である。
【図２】図２は、本実施形態の契約管理装置の構成の一例を示すブロック図である。
【図３】図３は、本実施形態の機器管理装置の構成の一例を示すブロック図である。
【図４】図４は、本実施形態の機器管理システムで実行される処理の一例を示すフローチャート図である。
【図５】図５は、本実施形態の画面の一例を示す図である。
【図６】図６は、本実施形態及び各変形例の各装置のハードウェア構成の一例を示す図である。
【発明を実施するための形態】
【０００９】
以下、添付図面を参照しながら、本発明にかかる機器管理システム、機器管理装置、プログラム及び機器再配置支援方法の実施形態を詳細に説明する。
【００１０】
まず、本実施形態の機器管理システムの構成について説明する。
【００１１】
図１は、本実施形態の機器管理システム１の構成の一例を示すブロック図である。図１に示すように、機器管理システム１は、機器１０−１〜１０−Ｎ（Ｎ≧２）と、契約管理装置１００と、機器管理装置２００とを、備える。機器１０−１〜１０−Ｎ、契約管理装置１００、及び機器管理装置２００は、ネットワーク２を介して接続されている。ネットワーク２は、例えば、ＬＡＮ（Local  Area  Network）やインターネットなどにより実現できる。
【００１２】
本実施形態の機器管理システム１は、主として、企業等の経済主体において構築されていることを想定しているが、これに限定されるものではない。
【００１３】
機器１０−１〜１０−Ｎは、ネットワーク２に接続可能な機器であればよく、例えば、印刷装置、複写機、複合機（ＭＦＰ：Multifunction  Peripheral）、スキャナ装置、及びファクシミリ装置等の画像形成装置、プロジェクタ、カメラ、エアコン、冷蔵庫、蛍光灯、自販機、及びハンドヘルド型端末等の各種電子機器、並びにＰＣ（Personal  Computer）やタブレットなどが挙げられる。複合機は、複写機能、印刷機能、スキャナ機能、及びファクシミリ機能のうち少なくとも２つの機能を有するものである。
【００１４】
本実施形態では、機器１０−１〜１０−Ｎは、ＰＣであるものとするが、これに限定されるものではない。また本実施形態では、機器１０−１〜１０−Ｎには、企業自身が所有しているＰＣとレンタル会社やリース会社などの貸与主体から借りているＰＣとが含まれているものとするが、これに限定されず、少なくとも貸与主体から借りているＰＣが含まれていればよい。
【００１５】
契約管理装置１００は、貸与主体から借りているＰＣに関する契約を管理するものであり、契約管理プログラムがインストールされたコンピュータなどにより実現できる。
【００１６】
図２は、本実施形態の契約管理装置１００の構成の一例を示すブロック図である。図２に示すように、契約管理装置１００は、通信部１１０と、操作部１２０と、表示部１３０と、記憶部１４０と、制御部１５０とを、備える。
【００１７】
通信部１１０は、ネットワーク２を介して、機器管理装置２００などの外部装置と通信するものであり、ＮＩＣ（Network  Interface  Card）などの通信装置により実現できる。
【００１８】
操作部１２０は、各種操作の入力を行うものであり、キーボード、マウス、タッチパッド、及びタッチパネルなどの入力装置により実現できる。
【００１９】
表示部１３０は、各種画面を表示するものであり、液晶ディスプレイ及びタッチパネル式ディスプレイなどの表示装置により実現できる。
【００２０】
記憶部１４０は、契約管理装置１００で実行される契約管理プログラムなど各種プログラム、及び契約管理装置１００で行われる各種処理に使用されるデータなどを記憶する。
記憶部１４０は、例えば、ＨＤＤ（Hard  Disk  Drive）、ＳＳＤ（Solid  State  Drive）、メモリカード、光ディスク、及びＲＡＭ（Random  Access  Memory）などの磁気的、光学的、及び電気的に記憶可能な記憶装置の少なくともいずれかにより実現できる。記憶部１４０は、契約情報記憶部１４１を含む。
【００２１】
契約情報記憶部１４１（管理情報記憶部の一例）は、機器１０−１〜１０−Ｎのうち貸与主体から借りている複数の機器の機器性能を少なくとも示す契約情報（管理情報の一例）を記憶する。本実施形態では、契約情報は、貸与主体から借りている複数の機器それぞれの識別子、機器性能、及び契約内容などを対応付けたレコードの集合で構成されるテーブルであるものとするが、これに限定されるものではない。
【００２２】
識別子は、貸与主体から借りている機器を識別できるものであればよく、例えば、機器管理システム１内で機器管理に用いられる管理Ｎｏ（ナンバー）などが挙げられる。機器性能は、貸与主体から借りている機器の仕様（スペック）に関するものであればよく、例えば、メモリ容量、ＨＤＤ容量、ＳＳＤ容量、ＣＰＵ（Central  Processing  Unit）の処理速度、及びＯＳ（Operating  System）などが挙げられる。契約内容は、貸与主体から借りている機器の契約内容に関するものであればよく、貸与期間（貸与開始日及び貸与完了日）や免責事項などが挙げられる。
【００２３】
制御部１５０は、契約管理装置１００の各部を制御するものであり、ＣＰＵなどの制御装置により実現できる。
【００２４】
制御部１５０は、契約情報記憶部１４１を用いて、貸与主体から借りている複数の機器に関する契約を管理する。例えば、制御部１５０は、契約管理装置１００の管理者などから操作部１２０を介して、新規の契約情報が入力されたり、既存の契約情報の更新情報が入力されたりすると、契約情報記憶部１４１に記憶されている契約情報を更新する。
【００２５】
また制御部１５０は、機器管理装置２００から契約情報の検索が要求されると、条件を満たす契約情報を契約情報記憶部１４１から取得し、機器管理装置２００に返却する。例えば、制御部１５０は、機器管理装置２００から通信部１１０を介してユーザが希望する機器性能を示す希望性能情報が入力されると、当該希望性能情報が示す機器性能を満足する機器性能に対応付けられた識別子を契約情報記憶部１４１から取得し、通信部１１０を介して機器管理装置２００に返却する。
【００２６】
希望性能情報が示す機器性能を満足する機器性能とは、希望性能情報が示す機器性能以上の機器性能を意味する。例えば、希望性能情報がメモリ容量４ＧＢ及びＨＤＤ容量１２８ＧＢを示すのであれば、メモリ容量４ＧＢ以上かつＨＤＤ容量１２８ＧＢ以上が該当する。
【００２７】
機器管理装置２００は、管理対象の機器である機器１０−１〜１０−Ｎを管理するものであり、機器管理プログラムがインストールされたコンピュータなどにより実現できる。
【００２８】
図３は、本実施形態の機器管理装置２００の構成の一例を示すブロック図である。図３に示すように、機器管理装置２００は、通信部２１０と、操作部２２０と、表示部２３０と、記憶部２４０と、制御部２５０とを、備える。
【００２９】
通信部２１０は、ネットワーク２を介して、契約管理装置１００などの外部装置と通信するものであり、ＮＩＣなどにより実現できる。
【００３０】
操作部２２０は、各種操作の入力を行うものであり、キーボード、マウス、タッチパッド、及びタッチパネルなどの入力装置により実現できる。
【００３１】
表示部２３０は、各種画面を表示するものであり、液晶ディスプレイ及びタッチパネル式ディスプレイなどの表示装置により実現できる。
【００３２】
記憶部２４０は、機器管理装置２００で実行される機器管理プログラムなど各種プログラム、及び機器管理装置２００で行われる各種処理に使用されるデータなどを記憶する。記憶部２４０は、例えば、ＨＤＤ、ＳＳＤ、メモリカード、光ディスク、及びＲＡＭなどの磁気的、光学的、及び電気的に記憶可能な記憶装置の少なくともいずれかにより実現できる。
【００３３】
制御部２５０は、機器管理装置２００の各部を制御するものであり、ＣＰＵなどの制御装置により実現できる。制御部２５０は、受付部２５１と、検索部２５３と、機器情報取得部２５５と、解析部２５７と、出力部２５９とを、含む。制御部２５０は、記憶部２４０に記憶されている機器管理プログラムを起動（実行）することにより、受付部２５１、検索部２５３、機器情報取得部２５５、解析部２５７、及び出力部２５９をソフトウェアとして実現する。
【００３４】
受付部２５１は、ユーザが希望する機器性能を示す希望性能情報の入力を受け付ける。例えば、機器１０−１〜１０−Ｎのうち貸与主体から借りているいずれかの機器の使用者が、現在使用している機器の機器性能では作業に支障があるため、より高い機器性能の機器を探しているとする。この場合、当該ユーザが、希望する機器性能を示す希望性能情報を現在使用している機器に入力し、受付部２５１は、当該機器から通信部２１０を介して当該希望性能情報の入力を受け付ける。
【００３５】
検索部２５３は、契約管理装置１００（契約情報記憶部１４１）を検索して、貸与主体から借りている複数の機器のうち、受付部２５１により受け付けられた希望性能情報が示す機器性能を満たす１以上の機器を特定する。
【００３６】
具体的には、検索部２５３は、受付部２５１により受け付けられた希望性能情報を、通信部２１０を介して契約管理装置１００に送信し、契約管理装置１００から、貸与主体から借りている複数の機器のうち希望性能情報を満たす１以上の機器の識別子を取得する。
【００３７】
機器情報取得部２５５は、検索部２５３により特定された１以上の機器それぞれから、当該機器の使用状況を少なくとも示す機器情報を取得する。具体的には、機器情報取得部２５５は、ＳＮＭＰ（Simple  Network  Management  Protocol）など機器管理で一般的に用いられる汎用プロトコルを用いた通信を、検索部２５３により取得された１以上の機器の識別子が示す１以上の機器それぞれとの間で行い、機器情報を取得する。
【００３８】
本実施形態では、機器情報は、機器の使用状況、機器の識別子、及び機器の利用者を示す情報であるものとするが、これに限定されるものではない。例えば、機器情報は、機器の識別子及び機器の利用者の双方を示す必要はなく、いずれか一方を示してもよい。機器の使用状況は、機器の利用頻度、ＣＰＵ（処理装置の一例）の使用率の履歴、ＨＤＤやＳＳＤ（記憶装置の一例）の記憶領域の使用量、及び機器の設置場所の少なくともいずれかなどが挙げられる。機器の識別子は、機器管理システム１内で機器管理に用いられる管理Ｎｏ、機器のメーカ名、機器の製品名、及び機器のモデル名などが挙げられる。
【００３９】
解析部２５７は、機器情報取得部２５５により取得された１以上の機器情報を解析する。具体的には、解析部２５７は、機器情報取得部２５５により取得された１以上の機器情報を解析し、１以上の機器のユーザが使用している機器との代替性を順位付けする。
【００４０】
例えば、機器の利用頻度が低い、ＣＰＵの使用率が絶えず低い、又はＨＤＤやＳＳＤの記憶領域の使用量が少ないような機器は、当該機器の機器性能を十分に発揮しているとは言えないので、ユーザが使用している機器との代替性の順位が高くなる。一方、機器の利用頻度が高い、ＣＰＵの使用率が高い、又はＨＤＤやＳＳＤの記憶領域の使用量が多いような機器は、当該機器の機器性能を十分に発揮しているため、ユーザが使用している機器と代替可能な機器とはならない、又はユーザが使用している機器との代替性の順位が低くなる。
【００４１】
また例えば、機器の設置場所が重要度の低い場所であれば、ユーザが使用している機器との代替性の順位が高くなる。一方、機器の設置場所が重要度の高い場所であれば、ユーザが使用している機器と代替可能な機器とはならない、又はユーザが使用している機器との代替性の順位が低くなる。
【００４２】
詳細には、解析部２５７は、機器情報取得部２５５により取得された機器情報に含まれる利用頻度、ＣＰＵの使用率の履歴、ＨＤＤやＳＳＤの記憶領域の使用量、及び機器の設置場所などの各項目をスコア化し、各項目のスコアの合計値、平均値、又は重み付け平均値などの値を算出する。そして解析部２５７は、算出した値から、該当する機器が、ユーザが使用している機器と代替可能か否かを判定し、代替可能な機器については、ユーザが使用している機器との代替性を順位付けする。
【００４３】
これにより、ユーザが希望する機器性能を満たす機器のうち機器性能を十分に発揮していない機器や重要度の低い場所に設置されている機器が高順位に順位付けされる。
【００４４】
出力部２５９は、解析部２５７の解析結果に基づいて、検索部２５３により特定された１以上の機器の中からユーザが使用している機器の代替候補となる機器に関する情報を出力する。具体的には、出力部２５９は、代替候補となる機器に関する情報として、検索部２５３により特定された１以上の機器の中から、解析部２５７の順位付け結果が上位予め定められた順位の機器に関する情報を、通信部２１０を介してユーザが希望性能情報を入力した機器に出力する。
【００４５】
本実施形態では、解析部２５７の順位付け結果が上位予め定められた順位の機器に関する情報は、機器情報に含まれる機器の識別子及び機器の利用者であるものとするが、これに限定されず、例えば、機器の識別子及び機器の利用者のいずれかであってもよいし、他の情報であってもよい。
【００４６】
これにより、ユーザは、ユーザが使用している機器の代替候補となる機器を把握することができる。
【００４７】
次に、本実施形態の機器管理システムの動作について説明する。
【００４８】
図４は、本実施形態の機器管理システム１で実行される処理の一例を示すフローチャート図である。
【００４９】
まず、受付部２５１は、ユーザが現在使用している機器から希望性能情報の入力を受け付ける（ステップＳ１０１）。例えば、ユーザが、現在使用している機器が表示する図５に示すような画面上でメモリ容量やＨＤＤ容量など希望性能情報を入力すると、受付部２５１は、当該機器から当該希望性能情報の入力を受け付ける。
【００５０】
続いて、検索部２５３は、貸与主体から借りている複数の機器のうち受付部２５１により受け付けられた希望性能情報が示す機器性能を満たす１以上の機器を、契約管理装置１００から検索する（ステップＳ１０３）。
【００５１】
希望性能情報が示す機器性能を満たす１以上の機器があり、検索部２５３により契約管理装置１００から１以上の機器が検索された場合（ステップＳ１０５でＹｅｓ）、機器情報取得部２５５は、検索部２５３により検索された１以上の機器それぞれから、当該機器の機器情報を取得する（ステップＳ１０７）。
【００５２】
なお、希望性能情報が示す機器性能を満たす１以上の機器がなく、検索部２５３により契約管理装置１００から１以上の機器が検索されなかった場合（ステップＳ１０５でＮｏ）、処理は終了となる。
【００５３】
続いて、解析部２５７は、機器情報取得部２５５により取得された１以上の機器情報を解析し、ユーザが使用している機器と代替可能な機器があるか否かを確認する（ステップＳ１０９）。
【００５４】
ユーザが使用している機器と代替可能な機器がある場合（ステップＳ１０９でＹｅｓ）、ユーザが使用している機器と代替可能な機器について、ユーザが使用している機器との代替性を順位付けする（ステップＳ１１１）。
【００５５】
なお、ユーザが使用している機器と代替可能な機器がない場合（ステップＳ１０９でＮｏ）、処理は終了となる。
【００５６】
続いて、出力部２５９は、検索部２５３により特定された１以上の機器の中から、解析部２５７の順位付け結果が上位予め定められた順位の機器に関する情報を、通信部２１０を介してユーザが希望性能情報を入力した機器に出力する（ステップＳ１１３）。これにより、ユーザが希望性能情報を入力した機器では、図５に示すように、上位予め定められた順位の機器の識別子や利用者などが表示され、ユーザは、ユーザが使用している機器の代替候補となる機器を把握することができる。
【００５７】
以上のように本実施形態では、作業を行う上で機器性能が不十分な機器を与えられたユーザは、作業を行う上で機器性能が過剰な機器を把握できる。このため本実施形態によれば、作業を行う上で機器性能が不十分な機器と作業を行う上で機器性能が過剰な機器との交換など企業内での最適な機器配置を支援できるので、ＴＣＯ削減やキャッシュフロー改善に貢献できる。
【００５８】
これにより、例えば、貸与中の機器を機器性能不足のために貸与期間満了前に契約を解除して返却し、新たな機器を借りるなどの事態を防止でき、不要な出費を削減できる。また、作業を行う上で機器性能が不十分な機器を与えられたユーザが、交換対象の機器を探すのに必要なコストを大幅に削減できる。
【００５９】
（変形例）
なお、本発明は、上記各実施形態に限定されるものではなく、種々の変形が可能である。
【００６０】
（変形例１）
例えば、上記実施形態において、検索部２５３は、契約管理装置１００（契約情報記憶部１４１）を検索して、貸与主体から借りている複数の機器のうち、受付部２５１により受け付けられた希望性能情報が示す機器性能を満たし、かつ貸与完了日までに一定期間（例えば、６ヶ月）以上ある機器を１以上の機器に特定してもよい。このようにすれば、短期間で貸与主体に返却しなければならない機器を除外することができる。
【００６１】
（変形例２）
上記実施形態では、貸与主体から借りている複数の機器から、作業を行う上で機器性能が過剰な機器を特定する例について説明したが、対象となる機器は、貸与主体から借りている機器に限定されるものではなく、企業自身が所有している機器であってもよい。
【００６２】
（変形例３）
上記実施形態では、機器１０−１〜１０−Ｎ、契約管理装置１００、及び機器管理装置２００で機器管理システム１を構成する例について説明したが、これに限定されるものではなく、いずれかの装置の機能を他の装置で代替して機器管理システム１を構成するようにすることもできる。例えば、契約管理装置１００の機能を機器管理装置２００が代替し、機器管理装置２００が契約情報記憶部１４１を備えるようにしてもよい。また上記実施形態では、契約管理装置１００が契約情報を記憶する例について説明したが、契約情報を外部（例えば、クラウド上）に記憶するようにしてもよい。
【００６３】
（ハードウェア構成）
図６は、上記実施形態及び各変形例の契約管理装置及び機器管理装置（以下、上記実施形態及び各変形例の各装置と称する）のハードウェア構成の一例を示す図である。
【００６４】
上記各実施形態及び各変形例の各装置は、ＣＰＵなどの制御装置８０１と、ＲＯＭやＲＡＭなどの記憶装置８０２と、ＨＤＤなどの外部記憶装置８０３と、ディスプレイなどの表示装置８０４と、キーボードやマウスなどの入力装置８０５と、通信Ｉ／Ｆ（インタフェース）などの通信装置８０６と、を備えており、通常のコンピュータを利用したハードウェア構成となっている。
【００６５】
上記各実施形態及び各変形例の各装置で実行されるプログラムは、インストール可能な形式又は実行可能な形式のファイルでＣＤ−ＲＯＭ、ＣＤ−Ｒ、メモリカード、ＤＶＤ（Digital  Versatile  Disk）、フレキシブルディスク（ＦＤ）等のコンピュータで読み取り可能な記憶媒体に記憶されて提供される。
【００６６】
また、上記各実施形態及び各変形例の各装置を、インターネット等のネットワークに接続されたコンピュータ上に格納し、ネットワーク経由でダウンロードさせることにより提供するようにしてもよい。また、上記各実施形態及び各変形例の各装置で実行されるプログラムを、インターネット等のネットワーク経由で提供または配布するようにしてもよい。また、上記各実施形態及び各変形例の各装置で実行されるプログラムを、ＲＯＭ等に予め組み込んで提供するようにしてもよい。
【００６７】
上記各実施形態及び各変形例の各装置で実行されるプログラムは、上述した各部をコンピュータ上で実現させるためのモジュール構成となっている。実際のハードウェアとしては、ＣＰＵがＨＤＤからプログラムをＲＡＭ上に読み出して実行することにより、上記各部がコンピュータ上で実現されるようになっている。
【符号の説明】
【００６８】
１  機器管理システム
２  ネットワーク
１０−１〜１０−Ｎ（１０）  機器
１００  契約管理装置
１１０  通信部
１２０  操作部
１３０  表示部
１４０  記憶部
１４１  契約情報記憶部
１５０  制御部
２００  機器管理装置
２１０  通信部
２２０  操作部
２３０  表示部
２４０  記憶部
２５０  制御部
２５１  受付部
２５３  検索部
２５５  機器情報取得部
２５７  解析部
２５９  出力部
８０１  制御装置
８０２  記憶装置
８０３  外部記憶装置
８０４  表示装置
８０５  入力装置
８０６  通信装置
【先行技術文献】
【特許文献】
【００６９】
【特許文献１】特開２００４−１９９４１７号公報
【図１】
2014174772.tif 000003
【図２】
2014174772.tif 000004
【図３】
2014174772.tif 000005
【図４】
2014174772.tif 000006
【図５】
2014174772.tif 000007
【図６】
2014174772.tif 000008